(57)【要約】【課題】把手を備えつつも更なる薄肉化が可能であって、使い易さと、広告機能との両立が図られたラベル付き合成樹脂製容器を提供する。【解決手段】本発明は、胴部1cの周りを周回する筒形状のラベル２を装着したラベル付きＰＥＴボトル１である。ボトル１は、胴部1cから離間して胴部1cに沿って伸びる把持部11と、この把持部11に連結部12を介して繋がり胴部1cとラベル２の筒高さ方向の縁部e2から胴部1cとの相互間に差し込まれる取り付け基部13とを有する把手10を備える。【選択図】図１
2007320624.tif 000002
【特許請求の範囲】
【請求項１】
胴部の外面に外装体を装着した合成樹脂製容器において、
前記胴部から離間して当該胴部に沿って伸びる把持部と、この把持部に繋がり前記胴部と前記ラベルとの間に挟み込まれた取り付け基部とを有する把手を備えることを特徴とする、合成樹脂製容器。
【請求項２】
前記胴部に、前記取り付け基部が嵌め込まれる溝部を備える、請求項１に記載の合成樹脂製容器。
【請求項３】
前記溝部に、前記取り付け基部に設けた凸部と係合する係合凹部、又は、前記取り付け基部に設けた凹部と係合する係合凸部を備える、請求項２に記載の合成樹脂製容器。
【請求項４】
前記取り付け基部に、前記外装体の筒高さ方向の縁部に引っ掛かるフック片を備える、請求項１乃至３のいずれか一項に記載の合成樹脂製容器。
【請求項５】
前記取り付け基部の先端に、ヒンジを介して繋がり前記把持部と連結する連結部を備える、請求項１乃至３に記載の合成樹脂製容器。
【請求項６】
前記取り付け基部は、少なくとも二本の部位である、請求項１乃至５のいずれか一項に記載の合成樹脂製容器。
【請求項７】
前記外装体は、前記胴部の周りを周回する筒形状のラベルであることを特徴とする請求項１乃至６のいずれか一項に記載の合成樹脂製容器。
【請求項８】
前記ラベルは、シュリンクラベルである、請求項７に記載の合成樹脂製容器。
【発明の詳細な説明】
【技術分野】
【０００１】
本発明は、胴部の外表面に、ラベル等の外装体を装着した合成樹脂製容器のうち、持ち運びや内容物を注出するための把手を備える合成樹脂製容器に関するものである。
【背景技術】
【０００２】
ポリエチレンテレフタレート樹脂製ボトル（以下、ＰＥＴボトル）に代表される合成樹脂製容器の多くには、デザイン等の装飾や内容物の成分・効能等を印刷したラベル等の外装体がその外表面に装着されている。こうしたラベルに印刷された装飾や成分表示等は、使用者が商品を購入する際の判断基準の一つとなっている。
【０００３】
一方、合成樹脂製容器のうち、内容物の容量が大きな容器（例えば、１リットルサイズ）には、持ち運びや内容物の注出が容易に行なえるように把手を備えるものがある。
【０００４】
こうした把手を備える従来の容器には、予め把手を別体に成形し、この把手の撓み力を利用しながら、容器本体の側壁に形成した把手取付用凹部に嵌め付けてなるボトルがある（例えば、特許文献１参照。）
【特許文献１】特開２００６−１２３９７３号公報
【発明の開示】
【発明が解決しようとする課題】
【０００５】
しかしながら、上記従来ボトルは、原料の削減や軽量化等を目的に容器を薄肉化する場合であっても、少なくとも前記把手取付用凹部については、把手と共に変形又は破壊されないような強度を有する厚さに設定しなければならない。即ち、上記従来ボトルには、容器の薄肉化について改善の余地がある。
【０００６】
加えて、上記従来ボトルは、その把手をボトル本体に形成した前記把手取付用凹部に嵌め付けるため、外装体を装着する場合には、前記把手取付用凹部を避けなければならない。即ち、上記従来ボトルでは、持ち易さや注ぎ易さ等の使い易さを考慮して把手を大きくすることと、装飾や成分表示等の広告機能を考慮して外装体を大きくすることとが相反する関係にある。このため、上記従来ボトルでは、使い易さと広告機能のいずれか一方を択一的に優先して両者の調整を図らなければならないという問題がある。
【０００７】
本発明が解決すべき課題は、把手を備えつつも更なる薄肉化が可能であって、薄肉の容器であっても使い易さを向上させた合成樹脂製容器を提供することである。
【課題を解決するための手段】
【０００８】
本発明は、胴部の外面に外装体を装着した合成樹脂製容器において、
前記胴部から離間して当該胴部に沿って伸びる把持部と、この把持部に繋がり前記胴部と前記ラベルとの間に挟み込まれた取り付け基部とを有する把手を備えることを特徴とするものである。
【０００９】
本発明は、前記胴部に、前記取り付け基部が嵌め込まれる溝部を備えることが好ましい。
【００１０】
本発明は、前記溝部に、前記取り付け基部に設けた凸部と係合する係合凹部、又は、前記取り付け基部に設けた凹部と係合する係合凸部を備えることが好ましい。
【００１１】
本発明は、前記取り付け基部に、前記外装体の筒高さ方向の縁部に引っ掛かるフック片を備えることが好ましい。
【００１２】
本発明は、前記取り付け基部の先端に、ヒンジを介して繋がり前記把持部と連結する連結部を備えることが好ましい。
【００１３】
本発明において、前記取り付け基部は、少なくとも二本の部位であることが好ましい。
【００１４】
本発明に係る外装体には、例えば、胴部を補強する補強筒があり、具体例としては、ボール紙等からなる紙筒が挙げられる。また、外装体の他の例には、シュリンクラベルやストレッチラベル、タックラベル等が挙げられる。
【００１５】
ラベルは、帯状のラベルを胴部の周りに巻き回して結果として筒形状として装着されるものでも、予め筒形状をなしているラベルとして装着されるものを問わないが、本発明に用いられるラベルは、胴部に装着したとき、その周りを周回する筒形状を形成するラベルであることが好ましい。こうしたラベルの具体例としては、シュリンクラベルが挙げられる。
【発明の効果】
【００１６】
本発明によれば、把手が胴部と外装体との相互間で保持されるため、持ち運びや注出時に把手に加わる力の全てが、把手と容器胴部との連結部に集中することがない。このため、容器胴部の把手との嵌合強度を高める為に比較的肉厚に形成されている、嵌め付け部分を設ける必要がない。従って、本発明によれば、把手を嵌め付けるための強度アップを目的とした肉厚の確保が不要となるから、その分、把手を嵌め付ける従来容器に比べて更なる薄肉化を図ることができる。
【００１７】
しかも、本発明によれば、把手を容器に繋ぐ取り付け基部が胴部と外装体との相互間に挟み込まれているため、外装体を大きくすればするほど、持ち易さや注ぎ易さ等の使い易さを考慮して把手を大きくすることができる。従って、本発明によれば、例えば外装体に広告機能を付与した場合に、使い易さと広告機能のいずれか一方を択一的に優先して両者の調整を図るのではなく、使い易さと広告機能とを両立させつつ、両者の向上を図ることができる。つまり、設計、及びデザインの自由度が高まることとなる。
【発明を実施するための最良の形態】
【００１８】
以下、図面を参照して、本発明を詳細に説明する。
【００１９】
図１〜３はそれぞれ、本発明の第一形態であるラベル付きＰＥＴボトルを示す正面図、側面図及び上面図である。
【００２０】
図１〜３において、符号１は、口部1a、肩部1b、胴部1c及び底部1dとからなる、ポリエチレンテレフタレート樹脂を主成分とする二軸延伸ブローボトルである。
【００２１】
符号２は、胴部1cの周りを周回する筒形状の外装体（シュリンクラベル）である。シュリンクラベル２は、胴部1cの外形に適合した筒形状のままボトル１に被せられたのち、熱を加えて収縮させることにより、胴部1cに密着するものである。シュリンクラベル２の外表面には、デザイン等の装飾や内容物の成分・効能等が印刷されている。
【００２２】
符号10は、シュリンクラベル２を装着したボトル１の持ち運びや内容物の注出を行なうための把手である。把手10は、胴部1cから離間して胴部1cに沿って伸びる把持部11と、この把持部11の一端から胴部1cに向かって一体に伸びる連結部12と、この連結部12を介して把持部11に一体に繋がり胴部1cとシュリンクラベル２との間に挟み込まれた取り付け基部13とを有する。
【００２３】
詳細には、取り付け基部13は、図１，３に示すように、把持部11から胴部1cの胴回りに沿って左右に分かれた連結部12に繋がり、胴部1cに沿って伸びる二本の部位としてなる。取り付け基部13は、シュリンクラベル２の円筒高さ方向の縁部e1,e2のうち、下縁部e2から胴部1cとの相互間に差し込まれるよう、その先端13eがそれぞれ、図１に示すように、先細り形状をしている。また、先端13eの外表面は、図２に示すように、肩部1bの外観形状に合わせた流線形をしている。
【００２４】
また、取り付け基部13にはそれぞれ、図２に示すように、その長手方向に沿って胴部1cとの対向面13fに、２つの凸部14が一体に設けられている。これに対し、胴部1cには、取り付け基部13と対向する位置に、２つの取り付け基部13がそれぞれ嵌め込まれる溝部15が肩部1bの一部に亘って設けられており、この溝15にはそれぞれ、取り付け基部13に設けた凸部14と係合する係合凹部16が形成されている。
【００２５】
これにより、取り付け基部13は、ボトル１にシュリンクラベル２を装着後でも、溝15を案内溝として、シュリンクラベル２の下縁部e2から胴部1cとの相互間に差し込んでシュリンクラベル２との間で保持できる。
【００２６】
しかも、このとき、取り付け基部13はそれぞれ、溝15に嵌め込まれるため、胴部1cの胴回り（ボトル軸線Ｏ周り）に回転して位置ズレを起こすことが無い。更に、取り付け基部13がそれぞれ、溝15に嵌め込まれることで、シュリンクラベル２に過剰な張力を与えることなく、取り付け基部13を胴部1cに向かって押し付け、胴部1cとシュリンクラベル２との相互間で保持できる。
【００２７】
また、このとき、取り付け基部13の係合凸部14はそれぞれ、溝15の係合凹部16に嵌り合って係合するため、取り付け基部13を差し込んだ後も、胴部1cの高さ（ボトル軸線Ｏ）方向に沿って移動して位置ズレを起こすことが無い。
【００２８】
即ち、本発明によれば、把手10が胴部1cとシュリンクラベル２との相互間で保持されるため、持ち運びや注出時に把手10に加わる力の全てが、把手10と胴部1cとの間に集中することがない。このため、胴部1cには、従来のように、把手10との嵌合強度を高める為に比較的肉厚に形成されている、嵌め付け部分を設ける必要がない。従って、本発明によれば、把手10を嵌め付けるための強度アップを目的とした肉厚の確保が不要となるから、その分、把手10を嵌め付ける従来容器に比べて更なる薄肉化を図ることができる。
【００２９】
しかも、本発明によれば、把手10をボトル１に繋ぐ取り付け基部13が胴部1cとシュリンクラベル２との相互間に挟み込まれているため、広告機能を考慮してシュリンクラベル２を大きくすればするほど、持ち易さや注ぎ易さ等の使い易さを考慮して把手を大きくすることができる。従って、本発明によれば、使い易さと広告機能のいずれか一方を択一的に優先して両者の調整を図るのではなく、使い易さと広告機能とを両立させつつ、両者の向上を図ることができる。つまり、本発明によれば、設計、及びデザインの自由度が高まることとなる。
【００３０】
なお、本形態において、取り付け基部13は、把持部11から２つの分岐した連結部12を介して繋がる二本の部位としているが、かかる構成によれば、胴部1cとシュリンクラベル２との相互間に取り付け基部13を差し込んで製造する場合に作業がし易く好適である。このため、取り付け基部13は、少なくとも二本の部位であればよい。また、本発明によれば、取り付け基部13が二本の部位となれば、連結部12から二本の部位とする必要は必ずしもない。
【００３１】
把手10の差し込み方法も、シュリンクラベル２の下縁部e2からではなく、上縁部e1から差し込んでもよい。更に、取り付け基部13は、シュリンクラベル２の筒高さ方向中央位置に挿入孔を形成し、この挿入孔から差し込んでも、又は、シュリンクラベル２の上縁部e1又は下縁部e2にスリットを設け、このスリットを案内にして、スリットの形成されない部分との間に差し込んでもよい。この場合、把手10のサイズを選択する際の自由度が向上する。
【００３２】
また、本発明によれば、差し込みを行なわず、予め胴部1cの外面に把手10の取り付け基部13を配置した後、両者をシュリンクラベル２で連繋させて製造する場合や、取り付け基部13と胴部1cの外面との対向部分に摩擦抵抗を低下させる処理を行った場合などには、取り付け部材13を１つの幅広の部位で構成してもよい。
【００３３】
なお、本発明に係る外装体２には、シュリンクラベル以外にも、例えば、胴部1cを補強する補強筒があり、具体例としては、ボール紙等からなる紙筒が挙げられる。また、外装体２の他の例には、タックラベル等が挙げられる。
【００３４】
更に、本発明に用いられるラベルは、胴部1cに装着したとき、その周りを周回する筒形状を形成するラベルであれば、帯状のラベルを胴部1cの周りに巻き回して筒形状とするものでもよいが、シュリンクラベルが好ましい。この場合、ＰＥＴ樹脂、ポリプロピレン（ＰＰ）樹脂、ポリエチレン（ＰＥ）樹脂等の合成樹脂で構成されるため、把手10を保持するための比較的高い強度が得られる。
【００３５】
また、本発明に係る取り付け基部13には、様々な改良を加えることができる。
【００３６】
図４(a),(b)はそれぞれ、本発明の第二の形態として採用される、取り付け基部13を示す斜視図及び、同形態の取り付け基部のうち、シュリンクラベル２から露出した先端部分を示す要部拡大側面図である。
【００３７】
図４(a),(b)において、取り付け基部13の先端には、シュリンクラベル２の上縁部e1又は下縁部e2に引っ掛かるフック片17aが一体に形成されている。かかる構成によれば、シュリンクラベル２との引っ掛かりにより、胴部1cの高さ方向に沿った位置ズレの防止に更に有効である。
【００３８】
図４(c),(d)はそれぞれ、本発明の第三の形態として採用される、取り付け基部13のうち、シュリンクラベル２から露出した先端部分を例示する要部拡大側面図及び、当該取り付け基部13を胴部1cに形成した溝15に合さった状態を溝15の上側端部15eから示す要部拡大断面図である。
【００３９】
この場合、フック片17aの下端には、隣接する位置に切り欠き溝17bが形成されている一方、溝15の上側端部15eは、図４(d)に示すように、肩部1b（胴部1c）の外面に向かって湾曲している。かかる構成によれば、取り付け基部13を溝15に沿ってシュリンクラベル２との間に差し込むと、図４(d)のように、フック部17aがシュリンクラベル２の上縁部ｅ1を巻き込んで当該シュリンクラベル２に引っ掛かるため、上記効果に加え、位置ズレ防止効果を更に高めることが出来る。
【００４０】
図５(a),(b)はそれぞれ、本発明の第四の形態として採用される、取り付け基部の他の形態を示す分解斜視図及びその組み付け状態を示す斜視図である。
【００４１】
本形態は、取り付け基部13の先端にそれぞれ、ヒンジ18を介して一体に繋がり把持部11と連結する連結部19を備える。連結部19は、ヒンジ18と一体に繋がりヒンジ18を起点とした折り曲げにより把持部11との間に掛け渡される架橋部19aと、この架橋部19aと一体に繋がり、当該架橋部19aの折り曲げにより、把持部11の上端に形成された切り欠き部11cに嵌合するネック部19bと、このネック部19bと一体に繋がり、切り欠き部11cに嵌合したネック部19bを、ネック部19bに繋がる架橋部19aと共に抜け止め保持するヘッド部19cとからなる。
【００４２】
本形態によれば、把手10が、把持部11と、取り付け基部13との互いに対向する端部がそれぞれ、連結部12及び連結部19で一体に繋がる１つの剛体となるため、フック片17を設けたときと同様の効果が得られると共に、把手10全体を薄肉にすることにより軽量化を図ることができる。
【００４３】
なお、本発明の第四の形態にも、種々の変形例が挙げられ、例えば、連結部19は、ネック部19b及びヘッド部19cに代えて、結束バンドのように、把持部11の上端部分の領域に、その厚さ方向に沿って貫通孔を形成すると共に、この貫通孔を通る先端部を架橋部19aに一体に設け、ヒンジ18を介して折り曲げた架橋部19aの先端を貫通孔に通して組み付ける構成としてもよい。
【００４４】
上述したところは、本発明の好適な形態をしたものであるが、特許請求の範囲において、種々の変更を加えることができる。上述した第一〜第四の各形態に採用された構成要素や組み付け方法は、用途等に合わせて様々に組み合わせて使用することができる。
【産業上の利用可能性】
【００４５】
本発明は、外装体付き合成樹脂製容器であれば、容器の形態はボトルに限らない。
【図面の簡単な説明】
【００４６】
【図１】本発明の第一形態であるラベル付きＰＥＴボトルを示す正面図である。
【図２】同形態の側面図である。
【図３】同形態の上面図である。
【図４】(a),(b)はそれぞれ、本発明の第二の形態として採用される、取り付け基部を示す斜視図及び、同形態の取り付け基部のうち、シュリンクラベルから露出した先端部分を示す要部拡大側面図であり、(c),(d)はそれぞれ、本発明の第三の形態として採用される、取り付け基部のうち、シュリンクラベルから露出した先端部分を例示する要部拡大側面図及び、当該取り付け基部を胴部に形成した溝に合さった状態を溝の上側端部から示す要部拡大断面図である。
【図５】(a),(b)はそれぞれ、本発明の第五の形態として採用される、取り付け基部の他の形態を示す分解斜視図及びその組み付け状態を示す斜視図である。
【符号の説明】
【００４７】
１    ＰＥＴボトル（合成樹脂製容器）
1a    口部
1b    肩部
1c    胴部
1d    底部
２    シュリンクラベル（外装体）
10    把手
11    把持部
12    連結部
13    取り付け基部
13f   対向面
14    凸部
15    溝
16    凹部
17    フック片
18    ヒンジ
19    連結部
19a  架橋部
19b  ネック部
19c  ヘッド部
【図１】
2007320624.tif 000003
【図２】
2007320624.tif 000004
【図３】
2007320624.tif 000005
【図４】
2007320624.tif 000006
【図５】
2007320624.tif 000007